(57)【要約】【課題】使用者が被ったままでも、眼鏡を容易に係止させて、その脱落を防止することができる構造を有する帽子を提供する。【解決手段】帽子１０は、使用者の頭部を覆うクラウン部１１と、クラウン基端部から外向きに所定角度で形成されたブリム部１２とを有している。クラウン部１１のうち、使用者がそれを被ったときに前頭部付近となる第１部位には、クラウン上端部からクラウン基端部方向にガイドされた眼鏡５０のブリッジ部５２を係止させるためのボタン１４が設けられており、当該使用者の側頭部付近となる一対の第２部位には、クラウン上端部からクラウン基端部方向にガイドされた眼鏡の一対のテンプル部５１の先端をクラウン部１１の外表面と共に挟み込む帯紐１３が設けられている。【選択図】図２
2011214187.tif 000002
【特許請求の範囲】
【請求項１】
使用者の頭部を覆うクラウン部を有し、
前記クラウン部のうち使用者がそれを被ったときに当該使用者の前頭部付近となる第１部位には、クラウン上端部からクラウン基端部方向にガイドされた眼鏡のブリッジ部を係止させるための第１装飾部材が設けられており、
前記クラウン部のうち使用者がそれを被ったときにそれぞれ当該使用者の側頭部付近となる一対の第２部位には、前記ブリッジ部が前記第１装飾部材により係止される際にクラウン上端部からクラウン基端部方向にガイドされた前記眼鏡の一対のテンプル部の先端をクラウン部の外表面と共に挟み込む長尺状の第２装飾部材が設けられている、
帽子。
【請求項２】
前記第２装飾部材は、前記第１部位及び前記一対の第２部位を経由して延設された帯紐であり、その一部又は全部が伸縮性を有しており、前記第１部位において前記眼鏡のブリッジ部を保持した状態で、前記第１装飾部材に係合可能なものである、
請求項１記載の帽子。
【請求項３】
前記伸縮性帯状体の全部又は一部が形状記憶効果を有する素材を含んで成る、
請求項２記載の帽子。
【発明の詳細な説明】
【技術分野】
【０００１】
本発明は、使用者が被った状態でも、眼鏡を容易に保持させることができる構造の帽子に関するものである。
【背景技術】
【０００２】
ファッション性や利便性の観点から、帽子の鍔の部分（以下、「ブリム部」という。）や頭を覆う本体部分（以下、「クラウン部」という。）に眼鏡を係止したり、保持したりすることが、良く行われている。係止に際しては、眼鏡が脱落するのを防止するため、様々な工夫が施されている。
例えば、クラウン部の外周面に、眼鏡のつる（以下、「テンプル部」という。）を挿入する一対の輪状のつる係止具と、眼鏡の２つのレンズが連結された部分（以下、「ブリッジ部」という。）を係止するブリッジ係止具とを備える帽子が提案されている（特許文献１参照）。また、クラウン部の外周面に、眼鏡のテンプル部を、挟み込むためのホルダーを備える帽子が提案されている（特許文献２参照）。また、クラウン部の外周面に、眼鏡のテンプル部を保持するクラウン部滑り止めを、帽子のブリム部に、眼鏡のブリッジ部を支持するブリム部滑り止めを備える帽子も提案されている（特許文献３参照）。さらに、帽子のクラウン部の外周面に、眼鏡のテンプル部を挿入するパッチを備える帽子も提案されている（特許文献４参照）。
提案されているこれらの帽子は、いずれも眼鏡を帽子に係止又は保持する点に主眼があるため、係止又は保持させる際には、眼鏡のテンプル部を、帽子の所定部位、例えばクラウン部に取り付けられた係止具等の位置に、ずれ無く合わせる必要があるため、使用者が、帽子を被ったまま、見えない状態で眼鏡を係止又は保持させることが困難であった。
【先行技術文献】
【特許文献】
【０００３】
【特許文献１】特開平９−０８７９１８号
【特許文献２】特開平１１−２２２７０８号
【特許文献３】特開２００２−３４８７１８
【特許文献４】特表２００６−５１４１７４
【発明の概要】
【発明が解決しようとする課題】
【０００４】
本発明は、被ったままでも、眼鏡を容易に係止又は保持させつつ、眼鏡の脱落を抑制できる構造の帽子を提供することを、その課題とする。
【課題を解決するための手段】
【０００５】
上記課題を解決する本発明の帽子は、使用者の頭部を覆うクラウン部を有し、前記クラウン部のうち使用者がそれを被ったときに当該使用者の前頭部付近となる第１部位には、クラウン上端部からクラウン基端部方向にガイドされた眼鏡のブリッジ部を係止させるための第１装飾部材が設けられており、前記クラウン部のうち使用者がそれを被ったときにそれぞれ当該使用者の側頭部付近となる一対の第２部位には、前記ブリッジ部が前記第１装飾部材により係止される際にクラウン上端部からクラウン基端部方向にガイドされた前記眼鏡の一対のテンプル部の先端をクラウン部の外表面と共に挟み込む長尺状の第２装飾部材が設けられているものである。
【０００６】
ある実施の態様では、前記第２装飾部材は、前記第１部位及び前記一対の第２部位を経由して延設された一部又は全部が伸縮性を有する帯紐であり、前記第１部位において前記眼鏡のブリッジ部を保持した状態で、前記第１装飾部材に係合可能なものとする。この伸縮性帯状体の全部又は一部を、形状記憶効果を有する素材を含んで構成しても良い。
【発明の効果】
【０００７】
本発明の帽子は、眼鏡のブリッジ部をクラウン部の第１部位で係止するとともに、眼鏡の一対のテンプル部の先端をそれぞれクラウン部の第２部位で挟み込むので、眼鏡が３点で安定的に保持され、滑落が抑制される。また、第１部位に第１装飾部材が存在し、第２部位に長尺状の第２装飾部材が存在するので、使用者は、クラウン上端部からクラウン基端部方向にスライドさせるだけで位置決めが完了するので、帽子を被った状態で容易に眼鏡を保持させることができ、眼鏡を使用するときは、何時でもクラウン部から取り外すことができる。
【図面の簡単な説明】
【０００８】
【図１】第１実施形態に係る帽子の通常時の斜視図である。
【図２】第１実施形態に係る帽子の使用状態を表す斜視図である。
【図３】第１実施形態に係る帽子の使用状態を表す正面図である。
【図４】第１実施形態に係る帽子の使用状態を表す側面図である。
【図５】第１実施形態に係る帽子の他の使用状態鏡を表す正面図である。
【図６】第２実施形態に係る帽子の使用状態を表す斜視図である。
【図７】第２実施形態に係る帽子の使用状態を表す斜視図である。
【図８】第２実施形態に係る帽子の背面図である。
【発明を実施するための形態】
【０００９】
［第１実施形態］
本発明における帽子の実施形態例を説明する。図１は第１実施形態に係る帽子の通常時の斜視図であり、図２は帽子の使用状態を表す斜視図、図３は正面図、図４は側面図である。
【００１０】
これら図を参照すると、第１実施形態の帽子１０は、クラウン部１１とブリム部１２とを有している。クラウン部１１は、頭部の大きさ・形状に合わせて、お椀状に成形されたものであり、布、メッシュ、皮革、ブレードなどの材質で形成される。後述するように眼鏡５０をガイドしやすくする観点からは、その一部又は全部を一定の剛性をもつように成形することが望ましい。
【００１１】
ブリム部１２は、クラウン部１１の基端部（クラウン基端部）から外向きに所定角度をもって設けられる鍔であり、デザイン性を考慮して様々な形態に成形することができる。図１〜図４に示したブリム部１２は、ハット型の帽子の例であって、クラウン部１１の全周にわたってリング状に成形されているが、このほか、例えばキャップ型の帽子であれば、クラウン部１１の前方部分（使用時に、使用者の顔の方向を向く部分）にのみ半月状のブリム部１２を設けるようにする。
【００１２】
クラウン部１１には２種類の装飾部材が設けられており、使用者が被った状態で眼鏡５０のテンプル部５１及び左右のレンズ枠を連結させたブリッジ部５２を手探りでガイドし、かつこれらの装飾部材により保持できる構造になっている。
具体的には、クラウン部１１のうち、使用者がそれを被ったときに当該使用者の前頭部付近となる部位（前方のクラウン基端部からやや上方）を第１部位、使用者がそれを被ったときにそれぞれ当該使用者の側頭部付近となる一対の側部（側部のクラウン基端部からやや上方）を第２部位とすると、一方の第２部位のやや後方から第１部位近傍を経由して他方の第２部位のやや後方に至るクラウン基端部の外表面に、長尺状の帯紐１３が延設されている。また、第１部位にはワンポイント装飾用のボタン１４が取付糸によって固定されている。
【００１３】
帯紐１３は、伸縮性素材，例えばメッシュ繊維、ゴム材又はゴム混入繊維等から成り、クラウン部１１とデザイン的に調和する形状・サイズに成形され、必要に応じて着色されている。
帯紐１３は、眼鏡５０を保持しない通常使用時には、クラウン部１１に密着した状態を維持しているが、眼鏡５０のテンプル部５１の先端、すなわち使用者の耳に掛かる湾曲した部分が、クラウン部１１の外表面にガイドされて、帯紐１３と第２部位のクラウン基端部の外表面との間に侵入してきたときは、テンプル部５１の先端の部分だけ押し拡げられ、それぞれクラウン基端部の外表面と協働で、当該テンプル部５１の先端を一定の保持力で挟み込む。
【００１４】
ボタン１４は、クラウン上端部からクラウン基端部方向にガイドされた眼鏡５０のブリッジ部５２を、第１部位で係止させるためのものである。すなわち、クラウン部１１の第１部位の外表面とボタン１４の背面部との隙間に、ブリッジ部５２を係止させて支持できるようにするため、その中央部を取付糸で固定している。
ボタン１４の材質は、金属、樹脂、布、紙などであるが、金属や樹脂のような硬い材質のものを用いる場合は、その背面側に、フェルトのような緩衝剤を付着させ、眼鏡５０のレンズが傷付かないようにするのが好ましい。
【００１５】
［使用形態例］
次に、第１実施形態に係る帽子１０の使用形態例について説明する。
（１）基本的な使用形態例
使用者が帽子１０を被った状態で、眼鏡５０の一対のテンプル部５１を両手で持ち、大まかな位置決めをした後、眼鏡５０のブリッジ部５２をクラウン上端部からクラウン基端部方向にスライドさせる。ブリッジ部５２は、ボタン１４付近まで来ると、ボタン１４の背面部によって第１部位までガイドされ、ボタン１４の取付糸で止まる。これによりブリッジ部５２が、ボタン１４の背面部と第１部位のクラウン部１１の外表面との隙間に保持されるので、この状態で、一対のテンプル部５１の先端をクラウン部１１の外表面に沿って下方に押し下げる。これにより、一対のテンプル部５１の先端がそれぞれクラウン基端部の外表面と帯紐１３との間に侵入し、挟み込まれる。図２〜図４は、この状態を示している。また、これとは逆に、テンプル部５１の先端をクラウン基端部の外表面と帯紐１３との間に挿入した後、ブリッジ部５２をボタン１４に係止してもよい。
【００１６】
このように、第１実施形態の帽子１０では、帯紐１３によって、クラウン部１１の外表面との隙間が約半周に亘って形成されるため、帽子１０を被ったままでも、細かな位置合わせをすることなく、眼鏡５０のテンプル部５１の先端を容易に保持させることができる。
また、第１部位にボタン１４を設けたので、眼鏡５０の大まかな位置合わせが容易になるばかりでなく、眼鏡５０のブリッジ部５２も係止されるので、眼鏡５０の滑落を有効に防止することができる。
【００１７】
（２）他の使用形態例
帯紐１３が伸縮性素材から成ることから、この実施形態の帽子１０は、様々な形態で使用することができる。
例えば、図５は、眼鏡５０のレンズの背面側に位置する帯紐１３を前方に引っ張り出して、眼鏡５０のレンズの前面側で折り返した後に、ボタン１４の背面に引っ掛けることによって、眼鏡５０全体に帯紐１３を巻きつかせ、より強固に眼鏡５０を保持することもできる。これにより、帽子１０を被ったまま、上下動の激しい運動をしても、眼鏡５０が滑落することがないので、本発明の適用範囲を拡げることができる。
【００１８】
［第２実施形態］
次に、本発明の第２実施形態について説明する。図６は、第２実施形態の帽子の通常状態を表す斜視図である。また、図７は使用状態を表す斜視図、図８は背面図である。説明の便宜上、第１実施形態において説明した帽子１０と同じ働きをする構成部材については、同一符号を付して、説明を省略する。
【００１９】
第２実施形態の帽子２０は、第１実施形態で説明した帽子１０の帯紐１３に代えて、眼鏡５０のテンプル部５１の先端をすべて覆うことができる広幅の帯紐２３を設けている。
この帯紐２３は、図６〜図８からわかるように、クラウン部１１の外表面を、背面も含めて、ほぼ全周に亘って沿うように設けられている。
【００２０】
使用形態例については、第１実施形態における「基本的な使用形態例」とほぼ同様となる。第２実施形態の帽子２０では、幅広の帯紐２３が、眼鏡５０のテンプル部５１の先端全体を挟み込むことができるため、眼鏡５０をより安定して保持し、脱落をより有効に防止することができる。また、帯紐２３は、クラウン部１１との間に、外表面の全周に亘ってほぼ均等な隙間を形成するため、どの位置でも眼鏡５０のテンプル部５１の先端を侵入させることができ、帽子２０を被ったときの位置合わせをより容易にすることができる。
【００２１】
［変形例１］
第１実施形態において説明した帯紐１３及び第２実施形態において説明した帯紐２３の全部又は一部を、例えば体温に反応する形状記憶効果を有する素材を含んで構成しても良い。形状記憶効果とは、ある温度(変態点)以下で変形しても、その温度以上に加熱されると、元の形状に回復する性質をいう。形状記憶効果を有する素材としては、チタンとニッケルの合金、鉄-マンガン-ケイ素合金などの形状記憶合金を用いることができる。
使用者が帽子１０．２０を被った際に、体温に反応して帯紐１３，２３が縮むようにすることで、より強固に眼鏡１０，２０を保持することができる。
【００２２】
［変形例２］
第１実施形態及び第２実施形態では、帯紐１３，２３を、均一幅のものを１本だけ用いた場合の例を示したが、第２部位だけを幅広とし、第１部位付近を細くして、第２実施形態のように眼鏡５０のテンプル部５１の先端全体を挟み込みつつ、第１実施形態の「他の使用形態」のような態様を実現するようにしても良い。
【００２３】
［変形例３］
第１実施形態では帯紐１３をクラウン部１１のほぼ半周にわたって設け、第２実施形態では帯紐２３をクラウン部１１のほぼ全周にわたって設けた場合の例を示したが、第１部位付近、第２部位付近に、それぞれ一定の長さをもって、部分的に設けるようにしても良い。
【００２４】
［変形例４］
第１実施形態及び第２実施形態において説明したボタン１４は、円形状のものであるが、多角形のものであっても良い。また、ブリッジ部５２が係止する構造であれば良いので、ボタン１４に代えて、フック、立体的刺繍、リボン等で代用しても良い。
【００２５】
［変形例５］
第１実施形態及び第２実施形態では、いわゆるハット型の帽子を例に説明したが、いわゆるキャップ型の帽子や、ブリム部を有さない帽子などにも適用可能である。
また、ブリム部１２を、クラウン部１１に保持された眼鏡５０のレンズの下端部が当接するような位置に取り付けて、眼鏡５０のレンズを下方から支えるような形状にしても良い。
【符号の説明】
【００２６】
１０、２０・・・帽子
１１・・・クラウン部
１２・・・ブリム部
１３，２３・・・帯紐
１４・・・ボタン
５０・・・眼鏡
５１・・・テンプル部
５２・・・ブリッジ部
【図１】
2011214187.tif 000003
【図２】
2011214187.tif 000004
【図３】
2011214187.tif 000005
【図４】
2011214187.tif 000006
【図５】
2011214187.tif 000007
【図６】
2011214187.tif 000008
【図７】
2011214187.tif 000009
【図８】
2011214187.tif 000010